(57)【要約】【課題】金属製の煙返し部材を用いて召合せ部の十分な気密性能が得られると共に、召合せ部の断熱性能が優れ、見栄えが良い合成樹脂製引違いサッシとする。【解決手段】合成樹脂製の内障子２の召合せ框２３の室外側面２３ａに金属製の室内側煙返し部材４０を固定し、合成樹脂製の外障子３の召合せ框３３の室内側面３３ａに金属製の室外側煙返し部材５０を固定することで召合せ部の十分な気密性能を得るようにし、前記召合せ框２３に、その室外側面２３ａよりも室外側に突出した突出片２６を設けて室内側煙返し部材４０に室内の空気が触れることを低減すると共に、室内から見えにくくし、前記召合せ框３３に、その室内側面３３ａよりも室内側に突出した突出片３６を設けて室外側煙返し部材５０に室外の空気が触れることを低減すると共に、室外から見えにくくして召合せ部の断熱性能が優れ、見栄えの良いものとする。【選択図】図４
2009052333.tif 000002
【特許請求の範囲】
【請求項１】
合成樹脂製の枠体に、合成樹脂製の内障子と外障子を引き違いに建て込んだ合成樹脂製引違いサッシであって、
前記内障子の合成樹脂製の召合せ框の室外側面に、金属製の室内側煙返し部材の取付部を固定して取付け、
前記外障子の合成樹脂製の召合せ框の室内側面に、金属製の室外側煙返し部材の取付部を固定して取付け、
前記内障子、外障子を閉じる時に室内側煙返し部材の煙返し片と室外側煙返し部材の煙返し片が係合するようにし、
前記内障子の召合せ框は、室外側面よりも室外側に突出し、かつ前記室内側煙返し部材よりも見付け方向外側寄りに位置する突出片を有し、
前記外障子の召合せ框は、室内側面よりも室内側に突出し、かつ前記室外側煙返し部材よりも見付け方向外側寄りに位置する突出片を有することを特徴とする合成樹脂製引違いサッシ。
【請求項２】
内障子の召合せ框の室外側面に、室内側煙返し部材が、その煙返し片が取付部よりも見付け方向内側に向かうように取付け、
前記内障子の召合せ框の突出片は、室内側煙返し部材の取付部よりも室外側に突出し、
この取付部に装着した室内側召合せ気密材は、外障子の召合せ框の室内側面に接すると共に、前記突出片と小さな隙間を置いて対向し、
外障子の召合せ框の室内側面に、室外側煙返し部材が、その煙返し片が取付部よりも見付け方向内側に向かうように取付け、
前記外障子の召合せ框の突出片は、室外側煙返し部材の取付部よりも室内側に突出し、
この取付部に装着した室外側召合せ気密材は、内障子の召合せ框の室外側面に接すると共に、前記突出片と小さな隙間を置いて対向している請求項１記載の合成樹脂製引違いサッシ。
【請求項３】
内障子の召合せ框の室外側面に、室内側煙返し部材が、その煙返し片が取付部よりも見付け方向内側に向かうように取付け、
前記内障子の召合せ框の突出片は、室内側煙返し部材の取付部よりも室外側に突出し、
この取付部に装着した室内側召合せ気密材は、外障子の召合せ框の室内側面に接すると共に、前記突出片に接し、
外障子の召合せ框の室内側面に、室外側煙返し部材が、その煙返し片が取付部よりも見付け方向内側に向かうように取付け、
前記外障子の召合せ框の突出片は、室外側煙返し部材の取付部よりも室内側に突出し、
この取付部に装着した室外側召合せ気密材は、内障子の召合せ框の室外側面に接すると共に、前記突出片に接するようにした請求項１記載の合成樹脂製引違いサッシ。
【請求項４】
室内側煙返し部材の取付部をビスで固定し、このビスを室内側召合せ気密材で覆うようにし、
室外側煙返し部材の取付部をビスで固定し、このビスを室外側召合せ気密材で覆うようにした請求項２又は３記載の合成樹脂製引違いサッシ。
【請求項５】
内障子の召合せ框を、その見付け方向外側面が平坦な面とすると共に、この見付け方向外側面と突出片を面一に連続させ、
外障子の召合せ框を、その見付け方向外側面が平坦な面とすると共に、この見付け方向外側面と突出片を面一に連続させた請求項１〜４いずれか１項に記載の合成樹脂製引違いサッシ。
【請求項６】
内障子の上框、下框、戸当り框は、召合せ框と同様な断面形状の本体と、その本体の見付け方向外側面に設けた外向突部を有し、
前記上框、下框の本体の長手方向の端面をそれぞれ４５度の傾斜面とすると共に、召合せ框の長手方向の端面をそれぞれ４５度の傾斜面とし、その端面同士を突き合わせて熱溶着で連結し、
外障子の上框、下框、戸当り框は、召合せ框と同様な断面形状の本体と、その本体の見付け方向外側面に設けた外向突部を有し、
前記上框、下框の本体の長手方向の端面をそれぞれ４５度の傾斜面とすると共に、召合せ框の長手方向の端面をそれぞれ４５度の傾斜面とし、その端面同士を突き合わせて熱溶着で連結した請求項５記載の合成樹脂製引違いサッシ。
【発明の詳細な説明】
【技術分野】
【０００１】
本発明は、合成樹脂製の枠体に、合成樹脂製の内障子、外障子を引き違いに建て込んだ合成樹脂製引違いサッシに関する。
【背景技術】
【０００２】
従来から、合成樹脂製の枠体の室内側寄りと室外側寄りに、合成樹脂製の内障子、外障子を引き違いに建て込んだ合成樹脂製引違いサッシが種々提案されている。
一方、アルミ製の引違いサッシにおいては内障子、外障子の召合せ框に煙返し片を一体的に設けて召合せ部の気密性向上などをしているが、前述した合成樹脂製引違いサッシでは召合せ框が合成樹脂製であるから、煙返し片が合成樹脂製となるために、強度が不足し、召合せ部の十分な気密効果が得られないことがある。
【０００３】
このことを解消するために、煙返し片を金属製として召合せ部の十分な気密効果が得られるようにした合成樹脂製サッシが特許文献１に開示されている。
具体的には、内障子の召合せ框の室外側面と、外障子の召合せ框の室内側面に、金属製で煙返し片を備えた煙返し部材をそれぞれ固定し、内障子と外障子を閉じる時に煙返し片相互が係止するようにしてある。
【特許文献１】実公平１−３５９１１号公報
【発明の開示】
【発明が解決しようとする課題】
【０００４】
前述した金属製の煙返し部材を用いた合成樹脂製引違いサッシにあっては、外障子の召合せ框に固定した煙返し部材が室外に露出して室外の空気が直接触れるので、室外の熱が煙返し部材に伝わり易い。
また、内障子の召合せ框に固定した煙返し部材が室内に露出して室内の空気が直接触れるので、室内の熱が煙返し部材に伝わり易い。
このために、室外の空気の熱又は室内の空気の熱が金属製の煙返し部材を伝わって室内の空気又は室外の空気に伝わり易く、召合せ部の断熱性能が劣ることになる。
したがって、室内と室外を断熱して熱が伝わり難くすることを目的とした合成樹脂製引違いサッシとして好ましくない。
また、室外及び室内から金属製の煙返し部材が合成樹脂製の召合せ框と隣接して見えるので、異和観があり、召合せ部の見栄えが悪い。
【０００５】
本発明の目的は、金属製の煙返し部材を用いて召合せ部の十分な気密効果が得られると共に、召合せ部の断熱性能が優れ、その召合せ部の見栄えが良い合成樹脂製引違いサッシとすることである。
【課題を解決するための手段】
【０００６】
本発明は、合成樹脂製の枠体に、合成樹脂製の内障子と外障子を引き違いに建て込んだ合成樹脂製引違いサッシであって、
前記内障子の合成樹脂製の召合せ框の室外側面に、金属製の室内側煙返し部材の取付部を固定して取付け、
前記外障子の合成樹脂製の召合せ框の室内側面に、金属製の室外側煙返し部材の取付部を固定して取付け、
前記内障子、外障子を閉じる時に室内側煙返し部材の煙返し片と室外側煙返し部材の煙返し片が係合するようにし、
前記内障子の召合せ框は、室外側面よりも室外側に突出し、かつ前記室内側煙返し部材よりも見付け方向外側寄りに位置する突出片を有し、
前記外障子の召合せ框は、室内側面よりも室内側に突出し、かつ前記室外側煙返し部材よりも見付け方向外側寄りに位置する突出片を有することを特徴とする合成樹脂製引違いサッシである。
【０００７】
本発明においては、内障子の召合せ框の室外側面に、室内側煙返し部材が、その煙返し片が取付部よりも見付け方向内側に向かうように取付け、
前記内障子の召合せ框の突出片は、室内側煙返し部材の取付部よりも室外側に突出し、
この取付部に装着した室内側召合せ気密材は、外障子の召合せ框の室内側面に接すると共に、前記突出片と小さな隙間を置いて対向し、
外障子の召合せ框の室内側面に、室外側煙返し部材が、その煙返し片が取付部よりも見付け方向内側に向かうように取付け、
前記外障子の召合せ框の突出片は、室外側煙返し部材の取付部よりも室内側に突出し、
この取付部に装着した室外側召合せ気密材は、内障子の召合せ框の室外側面に接すると共に、前記突出片と小さな隙間を置いて対向している合成樹脂製引違いサッシとすることができる。
このようにすれば、内障子の召合せ框の突出片と外障子の召合せ框の室内側面との間の隙間を通って室内の空気が室内側煙返し部材に触れることがほとんどないし、室内から前記隙間を通して室内側煙返し部材がほとんど見えない。また、外障子の召合せ框の突出片と内障子の召合せ框の室外側面との間の隙間を通って室外の空気が室外側煙返し部材に触れることがほとんどないし、室外から室外側煙返し部材がほとんど見えない。
したがって、召合せ部の断熱性能が優れると共に、見栄えが良い。
【０００８】
本発明においては、内障子の召合せ框の室外側面に、室内側煙返し部材が、その煙返し片が取付部よりも見付け方向内側に向かうように取付け、
前記内障子の召合せ框の突出片は、室内側煙返し部材の取付部よりも室外側に突出し、
この取付部に装着した室内側召合せ気密材は、外障子の召合せ框の室内側面に接すると共に、前記突出片に接し、
外障子の召合せ框の室内側面に、室外側煙返し部材が、その煙返し片が取付部よりも見付け方向内側に向かうように取付け、
前記外障子の召合せ框の突出片は、室外側煙返し部材の取付部よりも室内側に突出し、
この取付部に装着した室外側召合せ気密材は、内障子の召合せ框の室外側面に接すると共に、前記突出片に接するようにした合成樹脂製引違いサッシとすることができる。
このようにすれば、内障子の召合せ框の突出片と外障子の召合せ框の室内側面との間の隙間を通って室内の空気が室内側煙返し部材に触れることがないし、室内から前記隙間を通して室内側煙返し部材が見えない。
また、外障子の召合せ框の突出片と内障子の召合せ框の室外側面との間の隙間を通って室外の空気が室外側煙返し部材に触れることがないし、室外から前記隙間を通して室外側煙返し部材が見えない。
したがって、召合せ部の断熱性能が優れると共に、見栄えが良い。
【０００９】
本発明においては、室内側煙返し部材の取付部をビスで固定し、このビスを室内側召合せ気密材で覆うようにし、
室外側煙返し部材の取付部をビスで固定し、このビスを室外側召合せ気密材で覆うようにした合成樹脂製引違いサッシとすることができる。
このようにすれば、室内側煙返し部材を固定するビス、室外側煙返し部材を固定するビスが見えないので、内障子、外障子を開放した状態で召合せ框の見栄えが良いものにできる。
【００１０】
本発明においては、内障子の召合せ框を、その見付け方向外側面が平坦な面とすると共に、この見付け方向外側面と突出片を面一に連続させ、
外障子の召合せ框を、その見付け方向外側面が平坦な面とすると共に、この見付け方向外側面と突出片を面一に連続させた合成樹脂製引違いサッシとすることができる。
このようにすれば、内障子の召合せ框の見付け方向外側面と突出片が連続して１つの面として見えると共に、外障子の召合せ框の見付け方向外側面と突出片が連続して１つの面として見えるから、見栄えが良い。
また、内障子の召合せ框の見付け方向外側面に施錠部品を直接取付けることができる。
【００１１】
本発明においては、内障子の上框、下框、戸当り框は、召合せ框と同様な断面形状の本体と、その本体の見付け方向外側面に設けた外向突部を有し、
前記上框、下框の本体の長手方向の端面をそれぞれ４５度の傾斜面とすると共に、召合せ框の長手方向の端面をそれぞれ４５度の傾斜面とし、その端面同士を突き合わせて熱溶着で連結し、
外障子の上框、下框、戸当り框は、召合せ框と同様な断面形状の本体と、その本体の見付け方向外側面に設けた外向突部を有し、
前記上框、下框の本体の長手方向の端面をそれぞれ４５度の傾斜面とすると共に、召合せ框の長手方向の端面をそれぞれ４５度の傾斜面とし、その端面同士を突き合わせて熱溶着で連結した合成樹脂製引違いサッシとすることができる。
このようにすれば、内障子の召合せ框、外障子の召合せ框を見付け寸法が小さいものにできるから、スリムでスッキリとした見栄えの良い内障子、外障子とすることができる。
【発明の効果】
【００１２】
本発明によれば、金属製の室内側煙返し部材と金属製の室外側煙返し部材を用いているから、召合せ部の十分な気密効果が得られる。
また、内障子の召合せ框の突出片によって室内側煙返し部材に室内の空気が触れることを低減すると共に、室内から室内側煙返し部材が見えにくくでき、外障子の召合せ框の突出片によって室外側煙返し部材に室外の空気が触れることを低減すると共に、室外から室外側煙返し部材が見えにくくできる。
したがって、召合せ部の断熱性能が優れ、その召合せ部の見栄えが良い。
【発明を実施するための最良の形態】
【００１３】
図１、図２、図３に示すように、枠体１は、合成樹脂製の上枠１０と下枠１１と左右の縦枠１２を方形状に連結した合成樹脂製である。
前記枠体１の室内側寄りと室外側寄りには内障子２と外障子３が引き違いに建て込まれている。
前記内障子２は、合成樹脂製の上框２０と下框２１と戸当り框２２と召合せ框２３を方形状に連結した框体２４内にガラス２５を装着した合成樹脂製である。
前記外障子も同様に、合成樹脂製の上框３０と下框３１と戸当り框３２と召合せ框３３を方形状に連結した框体３４内にガラス３５を装着した合成樹脂製である。
これによって、合成樹脂製引違いサッシとしてある。
【００１４】
図３に示すように、前記内障子２の召合せ框２３の室外側面２３ａには室内側煙返し部材４０が固定してある。
この室内側煙返し部材４０は金属製で、取付部４１と煙返し片４２を有している。例えば、アルミの押出形材としてある。
前記召合せ框２３は、その室外側面２３ａよりも室外側に突出した突出片２６を長手方向ほぼ全長に亘って一体的に有し、この突出片２６は室内側煙返し部材４０よりも見付け方向外側寄りに位置している。
この突出片２６で前記室内側煙返し部材４０に室内の空気が触れることを低減、好ましくは触れないようにすると共に、室内側煙返し部材４０が室内から見え難く、好ましくは見えないようにしている。
なお、見付け方向とは、図３において召合せ框２３の左右方向で、見付け方向外側とは図３において召合せ框２３の左右方向におけるガラス２５を装着した側と反対側である。前記ガラス２５を装着した側は見付け方向内側である。
【００１５】
前記突出片２６は室内側煙返し部材４０よりも室外側に突出し、又は面一とすれば前述の室内の空気が触れないようにできると共に、室内から見えないようにできるが、室内側煙返し部材４０よりも室内側寄りまで突出させた場合でも室内の空気が触れることを低減できると共に、室内から見えにくくできる。
【００１６】
図３に示すように、前記外障子３の召合せ框３３の室内側面３３ａには室外側煙返し部材５０が固定してある。
この室外側煙返し部材５０は金属製、例えばアルミの押出形材で、取付部５１と煙返し片５２を有し、内障子２と外障子３を閉じる時に、その煙返し片５２が前記室内側煙返し部材４０の煙返し片４２と係合するようにしてある。
図３に示す状態は内障子２と外障子３が完全に閉じた状態で、内障子２と外障子３は引き寄せ手段で互いに接近するように引き寄せられているので、室内側煙返し部材４０の煙返し片４２と室外側煙返し部材５０の煙返し片５２は室内外側方向に離れているが、内障子２と外障子３が閉じ位置よりも若干開き側の位置の時には、内障子２と外障子３が引き寄せられないので、前述の煙返し片４２，５２は係合するようにしてある。
【００１７】
前記召合せ框３３は、その室内側面３３ａよりも室内側に突出した突出片３６を長手方向ほぼ全長に亘って一体的に有し、この突出片３６は室外側煙返し部材５０よりも見付け方向外側寄りに位置している。
なお、見付け方向外側とは前述したように召合せ框３３の左右方向におけるガラス３５を装着した側と反対側で、内障子２の召合せ框２３と外障子３の召合せ框３３とでは見付け方向外側が左右反対となっている。
この突出片３６で前記室外側煙返し部材５０に室外の空気が触れることを低減、好ましくは触れないようにすると共に、室外側煙返し部材５０が室外から見えにくく、好ましくは見えないようにしてある。
前記突出片３６は前述した突出片２６と同様に、室外側煙返し部材５０よりも室内側に突出、又は面一が好ましいが、室外側煙返し部材５０よりも室外側寄りまで突出させても効果がある。
【００１８】
このようであるから、室内側煙返し部材４０、室外側煙返し部材５０が金属製であるので、召合せ部の十分な気密効果が得られるし、防犯性、防火性も優れたものにできる。
また、室内側煙返し部材４０に室内の空気が触れることを低減するから、室内の熱が室内側煙返し部材４０に伝わりにくく、室外側煙返し部材５０に室外の空気が触れることを低減するから、室外の熱が室外側煙返し部材５０に伝わりにくい。
したがって、召合せ部の断熱性能が優れたものである。
【００１９】
また、室内から召合せ部を見ると召合せ框２３と一体の突出片２６が見えて室内側煙返し部材４０が見えにくい。
また、室外から召合せ部を見ると召合せ框３３と一体の突出片３６が見えて室外側煙返し部材５０が見えにくい。
したがって、内障子２の召合せ框２３と外障子３の召合せ框３３との間、つまり召合せ部の見栄えが良い。
【００２０】
次に召合せ部の詳細を図４に基づいて説明する。
前記室内側煙返し部材４０は、取付部４１を召合せ框２３の突出片２６に接して見付け方向に位置きめし、その召合せ框２３の室外側面２３ａにビス４３で固定して取付ける。前記召合せ框２３は中空部２３ｃを有し、その中空部２３ｃに挿入した補強金具２７に前記ビス４３が螺合してある。
前記煙返し片４２は取付部４１よりも見付け方向内側に向かう。
前記取付部４１には室内側召合せ気密材４４が室外側に向けて装着され、この室内側召合せ気密材４４は外障子３の召合せ框３３の室内側面３３ａに接している。この実施の形態では見付け方向内側寄り位置に接している。
この室内側召合せ気密材４４で前記ビス４３が覆われ、内・外障子２，３を開放した時に、そのビス４３が見えないようにしてある。
【００２１】
例えば、取付部４１を、取付片４１ａと一側片４１ｂと他側片４１ｃで断面ほぼコ字形状で、気密材装着用の凹溝４１ｄを有する形状とし、その取付片４１ａをビス４３で固定してビス４３の頭部が凹溝４１ｄ内に位置するようにする。
そして、前記凹溝４１ｄの開口縁部分に室内側召合せ気密材４４を装着して凹溝４１ｄを閉塞することで、ビス４３の頭部が見えないようにしてある。
前記煙返し片４２は取付部４１の他側片４１ｃの突出端に一体的に設けてある。
【００２２】
前記召合せ框２３の突出片２６は室内側煙返し部材４０の取付部４１よりも室外側に突出し、前記室内側召合せ気密材４４で取付部４１の室内側部分を覆うと共に、この室内側召合せ気密材４４は召合せ框２３の突出片２６と僅かの隙間を置いて対向しているので、前記外障子３の召合せ框３３の室外側面３３ａと前記突出片２６との間の隙間を通して室内の空気が室内側煙返し部材４０に触れることが著しく低減し、前記隙間を通して室内側煙返し部材４０が室外からほとんど見えない。
【００２３】
この実施の形態では、突出片２６は召合せ框２３の見付け方向外側面２３ｂと面一に連続して設けられ、室内から召合せ部を見た時に召合せ框２３の見付け方向外側面２３ｂと突出片２６が連続した平坦面として見えるので、見栄えが良い。
また、室内側煙返し部材４０は召合せ框２３の室外側面２３ａにおける見付け方向外側寄り位置に固定してある。
これに限ることはなく、突出片２６は召合せ框２３の室外側面２３ａにおける見付け方向任意の位置、好ましくは見付け方向外側寄り位置に設ければ良い。
【００２４】
前記室外側煙返し部材５０は、取付部５１を召合せ框３３の突出片３６に接して見付け方向に位置決めし、その召合せ框３３の室内側面３３ａにビス５３で固定して取付ける。
前記召合せ框３３は中空部３３ｃを有し、その中空部３３ｃに挿入した補強金具３７に前記ビス５３が螺合してある。
前記煙返し片５２は取付部５１よりも見付け方向内側に向かう。
前記取付部５１には室外側召合せ気密材５４が室内側に向けて装着され、この室外側召合せ気密材５４は内障子２の召合せ框２３の室外側面２３ａに接している。この実施の形態では見付け方向内側寄り位置に接している。
この室外側召合せ気密材５４で前記ビス５３が覆われ、内・外障子２，３を開放した時に、そのビス５３が見えないようにしてある。
【００２５】
例えば、取付部５１を、取付片５１ａと一側片５１ｂと他側片５１ｃで断面ほぼコ字形状で、気密材装着用の凹溝５１ｄを有する形状とし、その取付片５１ａをビス５３で固定してビス５３の頭部が凹溝５１ｄ内に位置するようにする。
そして、前記凹溝５１ｄの開口縁部分に室外側召合せ気密材５４を装着して凹溝５１ｄを閉塞することで、ビス５３の頭部が見えないようにしてある。
前記煙返し片５２は取付部５１の他側片５１ｃの突出端に一体的に設けてある。
【００２６】
前記召合せ框３３の突出片３６は室外側煙返し部材５０の取付部５１よりも室内側に突出し、前記室外側召合せ気密材５４で取付部５１の室内側部分を覆うと共に、この室外側召合せ気密材５４は召合せ框３３の突出片３６と僅かの隙間を置いて対向しているので、前記内障子２の召合せ框２３の室外側面２３ａと前記突出片３６との間の隙間を通して室外の空気が室外側煙返し部材５０に触れることが著しく低減し、その隙間を通して室外側煙返し部材５０が室外からほとんど見えない。
【００２７】
この実施の形態では、突出片３６は召合せ框３３の見付け方向外側面３３ｂと面一に連続して設けられ、室外から召合せ部を見た時に召合せ框３３の見付け方向外側面３３ｂと突出片３６が連続した平坦面として見えるので、見栄えが良い。
また、室外側煙返し部材５０は召合せ框３３の室内側面３３ａにおける見付け方向外側寄り位置に固定してある。
これに限ることはなく、突出片３６は召合せ框３３の室内側面３３ａにおける見付け方向任意の位置、好ましくは見付け方向外側寄り位置に設ければ良い。
【００２８】
すなわち、この実施の形態では室内側煙返し部材４０と室外側煙返し部材５０は同一断面形状で、室内側召合せ気密材４４と室外側召合せ気密材５４も同一断面形状であるから、１つの煙返し部材と１つの召合せ気密材を用いて内障子２の召合せ框２３と外障子３の召合せ框３３に取付けできる。
【００２９】
次に、枠体１と内障子２、外障子３の具体形状の一例を説明する。
前記上枠１０、下枠１１、縦枠１２は、図２、図３に示すように、本体６０の内面６０ａに複数の内向突部を室内外側方向に間隔を置いて有した同一断面形状の形材を用いている。前記内面６０ａとは見付け方向（上下方向、左右方向）における障子と対向した内側の面である。
例えば、室内側内向突部６１、室内側寄り中間内向突部６２、室外側寄り中間突部６３、室外側内向突部６４を有している。
前記室内側内向突部６１と室内側寄り中間内向突部６２との間に第１溝部６５、室内側寄り中間内向突部６２と室外側寄り中間内向突部６３との間に第２溝部６６、室外側寄り中間内向突部６３と室外側内向突部６４との間に第３溝部６７をそれぞれ形成している。
この第１・第２・第３溝部６５，６６，６７は内方に開口している。
前記上枠１０と縦枠１２、下枠１１と縦枠１２は、長手方向の端面を、切断などによってそれぞれ４５度の傾斜面とし、その端面同士を突き合わせて熱溶着で連結している。
【００３０】
前記内障子２の召合せ框２３と外障子３の召合せ框３３は図３に示すように、見付け方向内側部にガラス装着部７０を有した同一断面形状である。
なお、突出片２６，３６は室内外方向に反対に設けてある。つまり、内障子２の召合せ框２３では突出片２６が室外側に向かうようにしてあり、外障子３の召合せ框３３では突出片３６が室内側に向かうようにしてある。
前記ガラス装着部７０は内向突部７１と押縁７２で内向きの溝形状としてある。
【００３１】
前記内障子２の上框２０、下框２１、戸当り框２２と、外障子３の上框３０、下框３１、戸当り框３２は、前記召合せ框２３，３３と同様な断面形状の本体８０と、この本体８０の見付け方向外側面８０ａに一体的に設けた外向突部、例えば室内側外向突部８１、室外側外向突部８２を有している。前記召合せ框２３，３３は突出片２６，３６を備えているが、前記本体８０は突出片２６，３６を備えていないので、同様な断面形状としたが、同一の断面形状でも良い。つまり、同様な断面形状は同一の断面形状を含むものである。
前記本体８０の室内側部分は室内側外向突部８１よりも室内側に張り出し、室内側張り出し部を有している。
【００３２】
前記内障子２の上框２０、下框２１と戸当り框２２は、図１に示すように、その長手方向の端面２０ａ，２１ａ，２２ａを切断等でそれぞれ４５度の傾斜面とし、その端面同士を突き合わせて熱溶着で連結してある。
前記上框２０、下框２１と召合せ框２３は、上框２０、下框２１の本体８０の長手方向の端面８０ｂと召合せ框２３の長手方向の端面２３ｄを切断等でそれぞれ４５度の傾斜面とし、その端面同士を突き合わせて熱溶着で連結している。
【００３３】
このようであるから、上框２０、下框２１、戸当り框２２、召合せ框２３を熱溶着で連結して框体２４を形成できる。
前記内障子２を枠体１に建て込むことで、上框２０、下框２１の外向突部と上枠１０、下枠１１の内向突部が見付け方向に重なり合うので、その重なり寸法を大きくできる。
例えば、上框２０、下框２１の室内側外向突部８１、室外側外向突部８２が上枠１０、下枠１１の第１溝部６５、第２溝部６６に入り込む。
また、内障子２を閉じ位置とすることで、戸当り框２２の外向突部と縦枠１２の内向突部が見付け方向に重なり合い、その重なり寸法を大きくできる。
例えば、戸当り框２２の室内側外向突部８１、室外側外向突部８２が縦枠１２の第１溝部６５、第２溝部６６に入り込む。
【００３４】
また、内障子２を室内から見た時に、見付け寸法の小さな召合せ框２３と上框２０、下框２１、戸当り框２２の室内側張り出し部が四周連続して見えるので、スリムでスッキリとした見栄えの良いものとなる。
【００３５】
また、召合せ框２３の見付け方向外側面２３ｂは図３に示すように凹凸の無い平坦面であるから、クレセントなどの施錠部品４をカバー材を用いずに取付けできる。
つまり、従来の障子は、上框、下框、戸当り框、召合せ框を外向突部を有する同一断面形状とし、各框の長手方向の端面をそれぞれ４５度の傾斜面として端面同士を突き合わせて熱溶着で連結しているので、召合せ框の見付け方向外側面は凹凸のある形状であるから、カバー材を取付けて平坦面とし、そのカバー材に施錠部品を取付けている。
【００３６】
前記外障子３の上框３０、下框３１、戸当り框３２、召合せ框３３は、前述した内障子２の上框２０、下框２１、戸当り框２２、召合せ框２３と同様に、熱溶着で連結されて框体３４を形成する。
なお、内障子２、外障子３の各框を前述した従来と同様な断面形状として熱溶着で連結して框体２４，３４としても良い。
【００３７】
次に、召合せ部の第２の実施の形態を図５に基づいて説明する。
この実施の形態は、室内側召合せ気密材４４、室外側召合せ気密材５４を突出片２６，３６に接したことが前述の第１の実施の形態と相違し、他の構成は前述の第１の実施の形態と同様である、
前記内障子２の召合せ框２３の室外側面２３ａに室内側煙返し部材４０の取付部４１を、その取付部４１（一側片４１ｂ）が突出片２６に接してビス４３で固定して取付け、その取付部４１に装着した室内側召合せ気密材４４を突出片２６に接すると共に、外障子３の召合せ框３３の室内側面３３ａに接する。
これによって、突出片２６と外障子３の召合せ框３３の室内側面３３ａとの間の隙間を通って室内の空気が室内側煙返し部材４０に触れることがないから、室内の空気の熱が室内側煙返し部材４０に伝わることがないし、その隙間を通して室内から室内側煙返し部材４０が見えない。
【００３８】
前記外障子３の召合せ框３３の室内側面３３ａに室外側煙返し部材５０の取付部５１を、その取付部５１（一側片５１ｂ）が突出片３６に接してビス５３で固定して取付け、その取付部５１に装着した室外側召合せ気密材５４を突出片３６に接すると共に、内障子２の召合せ框２３の室外側面２３ａに接する。
これによって、突出片３６と内障子２の召合せ框２３の室外側面２３ａとの間の隙間を通って室外の空気が室外側煙返し部材５０に触れることがないから、室外の空気の熱が室外側煙返し部材５０に伝わることがないし、その隙間を通して室外から室外側煙返し部材５０が見えない。
【００３９】
このようであるから、室内側煙返し部材４０、室外側煙返し部材５０を伝わって室内と室外に亘って熱が伝わることがないようにできる。
したがって、召合せ部の断熱性能をより優れたものにできる。
【００４０】
次に、召合せ部の第３の実施の形態を図６に基づいて説明する。
この実施の形態は、取付部４１，５１がビス４３，５３の頭部が収容される空間と、気密材装着用の凹溝を室内外側方向に隣接して有するようにしたことが第２の実施の形態と相違し、他の構成は第２の実施の形態と同様である。
前記内障子２の召合せ框２３の室外側面２３ａに取付ける室内側煙返し部材４０は、取付部４１と煙返し片４２を有し、その取付部４１は取付片４１ａと一側片４１ｂと他側片４１ｃを有し、その一側片４１ｂと他側片４１ｃとに亘って中間片４１ｅを一体的に設けて空間４１ｆと気密材装着用の凹溝４１ｄを有した形状とする。
【００４１】
そして、取付部４１を召合せ框２３の室外側面２３ａと突出片２６に接し、前記中間片４１ｅの透孔を通してビス４３を召合せ框２３に螺合して取付部４１を固定すると共に、そのビス４３の頭部を空間４１ｆ内に収容する。
前記凹溝４１ｄの開口縁部に室内側召合せ気密材４４を装着する。
【００４２】
このようにすることで、室内側召合せ気密材４４を凹溝４１ｄに装着する際に、その室内側召合せ気密材４４の取付部分４４ａが中間片４１ｅに押しつけられるから、その取付部分４４ａを長手方向に亘って均一に押しつけて凹溝４１ｄに装着でき、室内側召合せ気密材４４を凹溝４１ｄに簡単に取付けできると共に、その取付部分４４ａがビス４３に押しつけられて損傷等することがない。
つまり、室内側召合せ気密材４４の取付部分４４ａを凹溝４１ｄに装着するには、その取付部分４４ａを凹溝４１ｄ内に押し込んで弾性変形させるので、その取付部分４４ａを押し込んだ時にビス４３に押しつけられると損傷すると共に、ビス４３に押しつけられた部分の押し込み量が不足して凹溝４１ｄ内に装着できないことがある。
【００４３】
前記外障子３の召合せ框３３の室内側面３３ａに取付ける室外側煙返し部材５０は、前記室内側煙返し部材４０と同一断面形状で、その取付部５１は、取付片５１ａ、一側片５１ｂ、他側片５１ｃ、中間片５１ｅで空間５１ｆと気密材装着用の凹溝５１ｄを有する。
そして、室外側煙返し部材５０は前述の室外側煙返し部材４０と同様にして取付けられる。
したがって、室外側召合せ気密材５４を取付部材５１の凹溝５１ｄに簡単に装着できると共に、ビス５３に押しつけられて取付部５４ａが損傷等することがない。
【００４４】
次に、召合せ部の第４の実施の形態を図７に基づいて説明する。
この実施の形態は、取付部のビスが挿通する溝部とは別の位置に召合せ気密材を装着したこと、召合せ気密材の断面形状が前述の第２の実施の形態とそれぞれ相違し、他の構成は第２の実施の形態と同様である。
前記内障子２の召合せ框２３の室外側面２３ａに固定する室内側煙返し部材４０は、その取付部４１の一端片４１ｂに気密材装着用の溝部４１ｇを有し、この溝部４１ｇに室内側召合せ気密材４４を装着する。
そして、取付部の凹溝４１ｄからビス４３を召合せ框２３に螺合して取付片４１ａを室外側面２３ａに押しつけて固定する。
前記室内側召合せ気密材４４は突出片２６に押しつけられ、その突出片２６と取付部４１（一側片４１ｂ）とで挟持されるので、その室内側召合せ気密材４４は強固に装着される。
【００４５】
前記外障子３の召合せ框３３に固定される室外側煙返し部材５０は前記室内側煙返し部材４０と同一断面形状で、その取付部５１の一側片５１ｂに気密材装着用の溝部５１ｇを有し、この溝部５１ｇに室外側召合せ気密材５４を装着する。
そして、取付部５１の凹溝５１ｄからビス５３を召合せ框３３に螺合して取付片５１ａを室内側面３３ａに押しつけて固定する。
前記室外側召合せ気密材５４は突出片３６に押しつけられ、その突出片３６と取付部５１（一側片５１ｂ）とで挟持されるので、その室外側召合せ気密材５４は強固に装着される。
【００４６】
次に、召合せ部の第５の実施の形態を図８に基づいて説明する。
この実施の形態は、取付部のビスが見えないようにしたことが前述の第４の実施の形態と相違し、他の構成は第４の実施の形態と同様である。
前記内障子２の召合せ框２３の室外側面２３ａに固定する室内側煙返し部材４０を、その溝部４１ｄの開口縁部にキャップ４５を取付けて閉塞することで、ビス４３が見えないようにしてある。
前記外障子３の召合せ框３３の室内側面３３ａに固定する室外側煙返し部材５０を、その溝部５１ｄの開口縁部にキャップ５５を取付けて閉塞することで、ビス５３が見えないようにしてある。
【００４７】
前記キャップ４５，５５の取付けは次のようにする。
前記取付部４１，５１の一側片４１ｂ，５１ｂと他側片４１ｃ，５１ｃに係止部を相対向して形成する。
前記キャップ４５，５５に係止片を設け、この係止片を弾性変形して係止部に係止することで取付ける。いわゆる、スナップ式に取付ける。
【００４８】
次に、召合せ部の第６の実施の形態を図９に基づいて説明する。
この実施の形態は、召合せ気密材でビスが見えないようにしたことが前述の第４の実施の形態と相違し、他の構成は第４の実施の形態と同様である。
前記室内側召合せ気密材４４にヒレ片４４ｂを一体的に設け、このヒレ片４４ｂを室内側煙返し部材４０の取付部４１の溝部４１ｄに向けて突出し、そのヒレ片４４ａでビス４３が見えないようにする。
前記室外側召合せ気密材５４にヒレ片５４ｂを一体的に設け、このヒレ片５４ａを室外側煙返し部材５０の取付部５１の溝部５１ｄに向けて突出し、そのヒレ片５４ｂでビス５４が見えないようにする。
【００４９】
前述の第１の実施の形態において、室内側召合せ気密材４４を突出片２６に接すると共に、室外側召合せ気密材５４を突出片３６に接するようにしても良い。
また、室内側召合せ気密材４４と室外側召合せ気密材５４の一方を突出片２６，３６と接し、他方は突出片２６，３６と離れるようにしても良い。
【００５０】
前述の第２〜第６の実施の形態において、室内側召合せ気密材４４を突出片２６と離すと共に、室外側召合せ気密材５４を突出片３６と離すようにしても良い。
また、室内側召合せ気密材４４と室外側召合せ気密材５４の一方を突出片２６，３６と接し、他方を突出片２６，３６と離れるようにしても良い。
【図面の簡単な説明】
【００５１】
【図１】本発明の実施の形態を示す合成樹脂製引違いサッシの概略正面図である。
【図２】図１の詳細縦断面図である。
【図３】図１の詳細横断面図である。
【図４】召合せ部の拡大横断面図である。
【図５】召合せ部の第２の実施の形態を示す横断面図である。
【図６】召合せ部の第３の実施の形態を示す横断面図である。
【図７】召合せ部の第４の実施の形態を示す横断面図である。
【図８】召合せ部の第５の実施の形態を示す横断面図である。
【図９】召合せ部の第６の実施の形態を示す横断面図である。
【符号の説明】
【００５２】
１…枠体、２…内障子、３…外障子、４…クレセント（施錠部品）、２０…上框、２１…下框、２２…戸当り框、２３…召合せ框、２３ａ…室外側面、２３ｂ…見付け方向外側面、２６…突出片、３０…上框、３１…下框、３２…戸当り框、３３…召合せ框、３３ａ…室内側面、３３ｂ…見付け方向外側面、４０…室内側煙返し部材、４１…取付部、４２…煙返し片、４３…ビス、４４…室内側召合せ気密材、５０…室外側煙返し部材、５１…取付部、５２…煙返し片、５３…ビス、５４…室外側召合せ気密材、６０…本体、７０…ガラス装着部、８０…本体、８０ａ…見付け方向外側面、８１…室内側外向突部、８２…室外側外向突部。
【図１】
2009052333.tif 000003
【図２】
2009052333.tif 000004
【図３】
2009052333.tif 000005
【図４】
2009052333.tif 000006
【図５】
2009052333.tif 000007
【図６】
2009052333.tif 000008
【図７】
2009052333.tif 000009
【図８】
2009052333.tif 000010
【図９】
2009052333.tif 000011